(57)【要約】【課題】ＩＤカード利用者に対する負担を軽減して、ＩＤカードを発行する。【解決手段】ＩＤカード作成システムは、ＩＤカード利用者の個人情報及びカード発行可否情報を記憶するホストコンピュータと、ＩＤカード利用者を撮影して顔画像データを生成する撮影装置と、前記顔画像データ及び前記個人情報を用いてＩＤカードを作成するＩＤカード発行装置と、前記ホストコンピュータへのログインに成功した前記撮影装置のオペレータのＩＤ情報が記録された成功者リストを保持するリスト保持部と、を備える。前記撮影装置は、前記ホストコンピュータにログインするためのパスワードの入力を受け付ける入力手段を有し、前記ホストコンピュータへのログインに失敗した場合、オペレータのＩＤ情報が前記成功者リストに記録されているか否かを検出し、記録されている場合、撮影処理を実行する。【選択図】図１
2015060427.tif 000002
【特許請求の範囲】
【請求項１】
ＩＤカード利用者の個人情報及び前記ＩＤカード利用者についてのカード発行可否情報を記憶するホストコンピュータと、
前記ホストコンピュータから前記カード発行可否情報を取得し、ＩＤカード利用者を撮影して顔画像データを生成するとともに、前記カード発行可否情報がカード発行可を示している場合に前記ホストコンピュータから前記個人情報を取得する撮影装置と、
前記撮影装置から前記顔画像データ及び前記個人情報を取得してＩＤカードを作成するＩＤカード発行装置と、
前記ホストコンピュータへのログインに成功した前記撮影装置のオペレータのＩＤ情報が記録された成功者リストを保持するリスト保持部と、
を備え、
前記撮影装置は、前記ホストコンピュータにログインするためのパスワードの入力を受け付ける入力手段を有し、前記ホストコンピュータへのログイン処理に失敗した場合、オペレータのＩＤ情報が前記成功者リストに記録されているか否かを検出し、記録されている場合、撮影処理を実行することを特徴とするＩＤカード作成システム。
【請求項２】
前記リスト保持部は、前記ホストコンピュータの外部に設けられていることを特徴とする請求項１に記載のＩＤカード作成システム。
【請求項３】
前記ホストコンピュータ又は前記撮影装置は、前記ホストコンピュータへのログインに成功したオペレータのＩＤ情報を前記成功者リストに書き込むことを特徴とする請求項１又は２に記載のＩＤカード作成システム。
【請求項４】
前記ホストコンピュータは、
前記撮影装置が利用可能になることでアクセス可能なローカルホストコンピュータと、
前記入力手段を介してパスワードを入力することでアクセス可能となるマスタホストコンピュータと、
を有することを特徴とする請求項１乃至３のいずれかに記載のＩＤカード作成システム。
【請求項５】
ＩＤカード利用者の個人情報及び前記ＩＤカード利用者についてのカード発行可否情報を記憶するホストコンピュータ、撮影装置、ＩＤカード発行装置、及び前記ホストコンピュータへのログインに成功した前記撮影装置のオペレータのＩＤ情報が記録された成功者リストを保持するリスト保持部を備えたＩＤカード作成システムを用いるＩＤカード作成方法であって、
前記撮影装置の入力手段を用いて、前記ホストコンピュータへのログインを行うために、オペレータのＩＤ情報及びパスワードを入力し、
前記ホストコンピュータへのログインに成功した場合は、
前記ホストコンピュータ又は前記撮影装置が、前記オペレータのＩＤ情報を前記成功者リストに書き込み、
前記撮影装置が、前記ホストコンピュータから前記カード発行可否情報を取得し、ＩＤカード利用者を撮影して顔画像データを生成するとともに、前記カード発行可否情報がカード発行可を示している場合に前記ホストコンピュータから前記ＩＤカード利用者の個人情報を取得し、前記顔画像データ及び前記個人情報を前記ＩＤカード発行装置へ出力し、
前記ＩＤカード発行装置が、前記撮影装置から出力された前記個人情報及び前記顔画像データを用いてＩＤカードを作成し、
前記ホストコンピュータへのログインに失敗した場合は、
前記撮影装置が、前記オペレータのＩＤ情報が前記成功者リストに記録されているか否かを検出し、記録されている場合に、ＩＤカード利用者を撮影して顔画像データを生成することを特徴とするＩＤカード作成方法。
【発明の詳細な説明】
【技術分野】
【０００１】
本発明は、従業員証や身分証明書などの顔写真の入ったＩＤカードを作成するシステム及び方法に関するものである。
【背景技術】
【０００２】
近年、従業員証、入館証、資格証明証などの顔写真の入ったＩＤカードが使用されることが多い。このようなＩＤカードの作成システムは、ＩＤ番号、ＩＤカード利用者の住所、氏名、生年月日、カード有効期限等の個人情報を記憶したホストコンピュータと、ホストコンピュータに個人情報を登録したり、ホストコンピュータ内の個人情報を書き換えたりする更新登録手段と、ＩＤカード利用者の顔面部位を撮影して顔画像を生成する撮影手段と、個人情報及び顔画像をカードに印字してＩＤカードを作成するＩＤカード発行装置とを備えている。
【０００３】
例えば、ＩＤカードの有効期限が迫り、利用者がＩＤカードの更新発行を行う場合、利用者はカード発行機関に更新申請書を提出する。カード発行機関では、更新申請書の内容を確認し、変更がある場合は変更箇所の更新登録を行い、変更がない場合は更新登録手段で変更がないことを確認する。その後、撮影手段にてＩＤ番号を入力し、更新者の個人情報を取得するとともに更新申請者を撮影して顔画像を取得する。そして、撮影手段により取得された更新申請者の個人情報と顔画像とがＩＤカード発行装置に転送され、新たなＩＤカードが作成される。
【先行技術文献】
【特許文献】
【０００４】
【特許文献１】特許第３７９８９２０号公報
【発明の概要】
【発明が解決しようとする課題】
【０００５】
更新申請時に住所や氏名などの個人情報の変更がない申請者の場合は、更新登録手段での確認をスキップし、撮影手段側で処理を行うことにより更新登録手段担当のオペレータの作業量の軽減を図ることができる。また、撮影手段側で個人情報の変更がないことをホストコンピュータへ通知する場合、更新登録用にユーザＩＤとパスワードが用意されているため、このＩＤとパスワードでホストコンピュータへアクセスする必要が発生する。
【０００６】
しかし、撮影手段とホストコンピュータとの通信ができない場合は、撮影手段で撮影処理ができなくなる。この場合、更新申請者は後日再度カード発行機関へ行く必要が発生する。
【０００７】
本発明は、このような課題を解決し得るＩＤカード作成システム及びＩＤカード作成方法を提供することを目的とする。
【課題を解決するための手段】
【０００８】
本発明の一態様によるＩＤカード作成システムはＩＤカード利用者の個人情報及び前記ＩＤカード利用者についてのカード発行可否情報を記憶するホストコンピュータと、前記ホストコンピュータから前記カード発行可否情報を取得し、ＩＤカード利用者を撮影して顔画像データを生成するとともに、前記カード発行可否情報がカード発行可を示している場合に前記ホストコンピュータから前記個人情報を取得する撮影装置と、前記撮影装置から前記顔画像データ及び前記個人情報を取得してＩＤカードを作成するＩＤカード発行装置と、前記ホストコンピュータへのログインに成功した前記撮影装置のオペレータのＩＤ情報が記録された成功者リストを保持するリスト保持部と、を備え、前記撮影装置は、前記ホストコンピュータにログインするためのパスワードの入力を受け付ける入力手段を有し、前記ホストコンピュータへのログイン処理に失敗した場合、オペレータのＩＤ情報が前記成功者リストに記録されているか否かを検出し、記録されている場合、撮影処理を実行することを特徴とする。
【０００９】
本発明の一態様によるＩＤカード作成システムは、前記リスト保持部は、前記ホストコンピュータの外部に設けられていることを特徴とする。
【００１０】
本発明の一態様によるＩＤカード作成システムは、前記ホストコンピュータ又は前記撮影装置は、前記ホストコンピュータへのログインに成功したオペレータのＩＤ情報を前記成功者リストに書き込むことを特徴とする。
【００１１】
本発明の一態様によるＩＤカード作成システムは、前記ホストコンピュータは、前記撮影装置が利用可能になることでアクセス可能なローカルホストコンピュータと、前記入力手段を介してパスワードを入力することでアクセス可能となるマスタホストコンピュータと、を有することを特徴とする。
【００１２】
本発明の一態様によるＩＤカード作成方法は、ＩＤカード利用者の個人情報及び前記ＩＤカード利用者についてのカード発行可否情報を記憶するホストコンピュータ、撮影装置、ＩＤカード発行装置、及び前記ホストコンピュータへのログインに成功した前記撮影装置のオペレータのＩＤ情報が記録された成功者リストを保持するリスト保持部を備えたＩＤカード作成システムを用いるＩＤカード作成方法であって、前記撮影装置の入力手段を用いて、前記ホストコンピュータへのログインを行うために、オペレータのＩＤ情報及びパスワードを入力し、前記ホストコンピュータへのログインに成功した場合は、前記ホストコンピュータ又は前記撮影装置が、前記オペレータのＩＤ情報を前記成功者リストに書き込み、前記撮影装置が、前記ホストコンピュータから前記カード発行可否情報を取得し、ＩＤカード利用者を撮影して顔画像データを生成するとともに、前記カード発行可否情報がカード発行可を示している場合に前記ホストコンピュータから前記ＩＤカード利用者の個人情報を取得し、前記顔画像データ及び前記個人情報を前記ＩＤカード発行装置へ出力し、前記ＩＤカード発行装置が、前記撮影装置から出力された前記個人情報及び前記顔画像データを用いてＩＤカードを作成し、前記ホストコンピュータへのログインに失敗した場合は、前記撮影装置が、前記オペレータのＩＤ情報が前記成功者リストに記録されているか否かを検出し、記録されている場合に、ＩＤカード利用者を撮影して顔画像データを生成することを特徴とする。
【発明の効果】
【００１３】
本発明によれば、ホストコンピュータへのアクセスができない場合でもＩＤカード利用者の撮影処理を行うことで、ＩＤカード利用者に対する負担を軽減して、ＩＤカードを発行することができる。
【図面の簡単な説明】
【００１４】
【図１】本実施形態によるＩＤカード作成システムの概略構成図。
【図２】ＩＤカードの一例を示す図。
【図３】ＩＤカードの発行機関における申請者の動線を示す図
【図４】本実施形態によるＩＤカード作成方法を説明するフローチャート。
【図５】エラーダイアログの一例を示す図。
【発明を実施するための形態】
【００１５】
以下、本発明の実施の形態を図面に基づいて説明する。
【００１６】
図１は、本実施形態によるＩＤカード作成システムの概略構成図である。ＩＤカード作成システムは、ＩＤカードの新規発行も可能であるが、ここではＩＤカードの更新発行について説明する。ＩＤカードの更新発行とは、過去に作成したＩＤカードの有効期限が近付いたり、有効期限が切れたりした場合に、新たな有効期限が設定されたＩＤカードを作成することをいう。
【００１７】
図１に示すように、ＩＤカード作成システムは、ローカルホストコンピュータ１、更新登録装置２、撮影装置３、ＩＤカード発行装置４、リスト保持部５、及びマスタホストコンピュータ６を備えている。
【００１８】
ローカルホストコンピュータ１は、過去にＩＤカードを作成したＩＤカード利用者の個人情報を記憶している。個人情報は、例えば、ＩＤ番号、氏名、住所、電話番号等である。ローカルホストコンピュータ１に記憶されている個人情報は、マスタホストコンピュータ６にも記憶されている。
【００１９】
マスタホストコンピュータ６は、ＩＤカード利用者の個人情報だけでなく、ＩＤカード利用者のカード発行可否情報も記憶している。カード発行可否情報がカード発行不可を示している場合、ＩＤカード利用者はＩＤカードの更新発行を行うことができない。マスタホストコンピュータ６は、ＩＤカード利用者の個人情報が更新された（書き換えられた）場合や、照会要求を受け付けた場合に、カード発行可否情報を送信する。
【００２０】
例えば、ＩＤカードが従業員証であり、ＩＤカード利用者が退職した場合、カード発行可否情報はカード発行不可を示す。また、ＩＤカードが公的な身分証明書となるものであり、ＩＤカード利用者の経歴等に問題がある場合、カード発行可否情報はカード発行不可を示す。
【００２１】
更新登録装置２は、ローカルホストコンピュータ１に記憶されているＩＤカード利用者の個人情報を更新する（書き換える）ことができる。ローカルホストコンピュータ１に記憶されている個人情報が更新されると、マスタホストコンピュータ６に記憶されている個人情報も同様に更新される。上述したように、マスタホストコンピュータ６は、個人情報の更新に伴いカード発行可否情報を送信する。そのため、更新登録装置２は、ローカルホストコンピュータ１に記憶されているＩＤカード利用者の個人情報を更新することで、このＩＤカード利用者についてカード発行可否情報を取得することができる。
【００２２】
撮影装置３は、デジタルカメラ等の撮影手段を有しており、撮影処理を実行し、ＩＤカード利用者の顔画像データを生成する。撮影装置３にはキーボードやマウス等の入力手段や、ＩＤ及びパスワードの入力画面が表示される表示手段が設けられており、オペレータが自身のＩＤ及びパスワードを入力できるようになっている。入力されたオペレータＩＤ及びパスワードが正当なものである場合、撮影装置３が利用可能な状態となる。
【００２３】
また、利用可能な状態となった撮影装置３では、入力手段を介して、ＩＤカード利用者のＩＤ番号等を入力することができる。撮影装置３は、入力手段を介してＩＤカード利用者のＩＤ番号等の入力を受け付けると、ローカルホストコンピュータ１から、ＩＤカード利用者の個人情報を取得する。
【００２４】
また、撮影装置３は、マスタホストコンピュータ６に対して、ＩＤカード利用者のカード発行可否情報の照会要求を送信し、カード発行可否情報を取得する。なお、カード発行可否情報を取得するためには、マスタホストコンピュータ６にアクセス（ログイン）するためのＩＤ及びパスワードの入力が求められる。ＩＤ及びパスワードが正当なものである場合は、マスタホストコンピュータ６からカード発行可否情報を取得することができる。また、マスタホストコンピュータ６へのアクセスが成功した場合、撮影装置３の入力手段から入力されたＩＤが、リスト保持部５の接続成功者リスト５ａに記録される。
【００２５】
撮影装置３は、撮影処理を実行し、ＩＤカード利用者の顔画像データを生成する。そして、撮影装置３は、取得したカード発行可否情報がカード発行可を示している場合は、顔画像データと、ローカルホストコンピュータ１から取得したＩＤカード利用者の個人情報とをＩＤカード発行装置４へ出力する。
【００２６】
マスタホストコンピュータ６にアクセスできない場合、撮影装置３はカード発行可否情報を取得することができない。マスタホストコンピュータ６にアクセスできない場合とは、例えば、マスタホストコンピュータ６やネットワークに障害が発生している場合や、オペレータが入力したＩＤやパスワードが正しくない場合などである。このような場合、撮影装置３は、リスト保持部５の接続成功者リスト５ａを検索し、撮影装置３のオペレータＩＤが接続成功者リスト５ａに記録されているか否かを検出する。オペレータＩＤが接続成功者リスト５ａに記録されている場合、すなわち、このオペレータが過去にマスタホストコンピュータ６にアクセスしたことのある正当な権限を有するオペレータである場合、撮影装置３は撮影処理を実行する。これにより、オペレータがマスタホストコンピュータ６にログイン出来ない場合でも、ＩＤカード利用者を撮影することができ、ＩＤカード利用者が、後日、撮影のためにカード発行機関を再訪する手間を省くことができる。
【００２７】
ＩＤカード発行装置４は、撮影装置３からＩＤカード利用者の個人情報及び顔画像データを受け取り、個人情報及び顔画像を印字して、ＩＤカードを作成する。例えば、ＩＤカード発行装置４は、図２に示すようなＩＣチップ１０ａを含むＩＤカード１０の表面１２に対して個人情報１２ａ及び顔画像１２ｂを印字するとともに、ＩＣチップ１０ａ内に個人情報１２ａを書き込んで、従業員証、入館証、資格証明証等のＩＤカードを作成する。ＩＤカード発行装置４は、カラー印画を行う印画部と、ＩＤカード１０のＩＣチップ１０ａに個人情報を書き込むリーダライタとを備えている。
【００２８】
リスト保持部５はマスタホストコンピュータ６とは別に設けられており、マスタホストコンピュータ６にアクセスできない場合でも、リスト保持部５にはアクセスできるようになっている。
【００２９】
図３はＩＤカードの発行機関におけるＩＤカード利用者（申請者）の動線を示す図である。図３に示すように、ＩＤカードの更新発行を行うＩＤカード利用者（申請者）は、カード発行機関の受付３１に、ＩＤカードの更新発行の申請書を提出する。ＩＤカード利用者は、前回ＩＤカードを発行した時と比較して、個人情報に変更がある場合は、登録窓口３２へ行き、個人情報の更新を申請する。登録窓口３２には更新登録装置２が設けられており、オペレータが更新登録装置２を用いて、ローカルホストコンピュータ１に記憶されている個人情報を変更する。
【００３０】
前回ＩＤカードを発行した時から個人情報に変更がない場合、ＩＤカード利用者は受付３１から撮影ブース３３へ向かう。また、登録窓口３２での個人情報の更新を終えたＩＤカード利用者は、撮影ブース３３へ向かう。撮影ブース３３には撮影装置３が設けられており、オペレータはＩＤカード利用者のＩＤ番号等を入力する。そして、オペレータは、撮影装置３を操作して撮影処理を実行し、ＩＤカード利用者の顔画像データを生成する。
【００３１】
顔画像データは個人情報とともにＩＤカード発行装置（図示せず）へ出力され、ＩＤカード発行装置においてＩＤカードが作製される。撮影ブース３３での撮影終了後、ＩＤカード利用者は交付所３４へ行き、作製されたＩＤカードの交付を受ける。
【００３２】
個人情報に変更がないＩＤカード利用者は登録窓口３２を飛ばして撮影ブース３３へ向かう。そのため、全てのＩＤカード利用者が登録窓口３２へ行く場合と比較して、更新登録装置２のオペレータの作業負担を軽減することができる。
【００３３】
次に、このようなＩＤカード作成システムを用いたＩＤカード作成方法を図４に示すフローチャートを用いて説明する。ここでは、更新登録装置２を用いた処理については説明を省略する。
【００３４】
（ステップＳ１０１）撮影装置３の電源がオンされると、撮影装置３を利用するためのオペレータＩＤ及びパスワードの入力画面が表示される。オペレータは、ＩＤ及びパスワードを入力する。
【００３５】
（ステップＳ１０２）オペレータの認証処理が行われる。オペレータＩＤ及びパスワードが正当なものである場合は、撮影装置３が利用可能な状態になり、ステップＳ１０３へ進む。オペレータＩＤ又はパスワードが正当なものでない場合はステップＳ１０１に戻る。
【００３６】
（ステップＳ１０３）オペレータは、撮影装置３の入力手段を用いて、マスタホストコンピュータ６へのアクセスのためのＩＤ及びパスワードを入力する。
【００３７】
（ステップＳ１０４）マスタホストコンピュータ６へアクセスできた場合は、ステップＳ１０５へ進む。
【００３８】
一方、マスタホストコンピュータ６へアクセスできなかった場合はステップＳ１１０へ進む。例えば、マスタホストコンピュータ６に障害が発生している場合、通信障害が発生している場合、ステップＳ１０３で入力したＩＤ又はパスワードが誤っている場合に、マスタホストコンピュータ６へのアクセスができなくなる。
【００３９】
（ステップＳ１０５）ステップＳ１０３で入力されたオペレータＩＤが、撮影装置３により、リスト保持部５の接続成功者リスト５ａに書き込まれる。
【００４０】
（ステップＳ１０６）ＩＤカード利用者のＩＤを撮影装置３の入力手段を介して入力し、マスタホストコンピュータ６からカード発行可否情報を取得する。
【００４１】
（ステップＳ１０７）撮影装置３を用いて撮影処理を実行し、ＩＤカード利用者の顔画像を生成する。
【００４２】
（ステップＳ１０８）撮影装置３は、カード発行可否情報がカード発行可を示している場合は、ステップＳ１０７で生成した顔画像と、ローカルホストコンピュータ１から取得したＩＤカード利用者の個人情報とをＩＤカード発行装置４へ出力し、ステップＳ１０９へ進む。
【００４３】
一方、カード発行可否情報がカード発行不可を示している場合は、処理を終了する。
【００４４】
（ステップＳ１０９）ＩＤカード発行装置４が、撮影装置３から受け取った顔画像及び個人情報を印字して、ＩＤカードを作製する。
【００４５】
（ステップＳ１１０）撮影装置３の表示手段に、マスタホストコンピュータ６へのアクセスに失敗したことを示すエラーダイアログが表示される。例えば、図５に示すようなエラーダイアログが表示される。
【００４６】
（ステップＳ１１１）オペレータＩＤ及びパスワードを再入力する場合はステップＳ１０３へ戻る。
【００４７】
マスタホストコンピュータ６に障害が発生していたり、通信障害が発生していたりして、マスタホストコンピュータ６にアクセスできない場合は、オペレータＩＤ及びパスワードの再入力を行わず、ステップＳ１１２へ進む。
【００４８】
また、オペレータＩＤ及びパスワードの再入力回数が所定値に達した場合、ステップＳ１１２へ進むようにしてもよい。
【００４９】
（ステップＳ１１２）撮影装置３が、リスト保持部５の接続成功者リスト５ａを検索し、ステップＳ１０３で入力されたオペレータＩＤが接続成功者リスト５ａに記載されているか否かを検出する。オペレータＩＤが接続成功者リスト５ａに記載されている場合はステップＳ１１３へ進む。
【００５０】
一方、オペレータＩＤが接続成功者リスト５ａに記載されていない場合はステップＳ１０３に戻る。このとき、オペレータＩＤが接続成功者リスト５ａに記載されていないことを表示するようにしてもよい。
【００５１】
（ステップＳ１１３）撮影装置３を用いて撮影処理を実行し、ＩＤカード利用者の顔画像を生成する。生成された顔画像データは、撮影装置３又はローカルホストコンピュータ１に記憶される。
【００５２】
その後、マスタホストコンピュータ６が復旧し、又は正しいパスワードを知得したら、オペレータはマスタホストコンピュータ６にアクセスし、マスタホストコンピュータ６からカード発行可否情報を取得する。カード発行可否情報がカード発行可を示している場合、撮影装置３は、ステップＳ１１３で生成した顔画像と、ローカルホストコンピュータ１から取得したＩＤカード利用者の個人情報とをＩＤカード発行装置４へ出力する。そして、ＩＤカード発行装置４が、顔画像及び個人情報を印字して、ＩＤカードを作製する。
【００５３】
このように、本実施形態によれば、マスタホストコンピュータ６に障害が発生するなどしてマスタホストコンピュータ６にアクセスできない場合であっても、撮影装置３を操作するオペレータのＩＤが接続成功者リスト５ａに記載されていた場合、すなわちこのオペレータが過去にマスタホストコンピュータ６にアクセスしたことのある正当な権限を有するオペレータである場合、撮影装置３が撮影処理を実行する。これにより、オペレータがマスタホストコンピュータ６にアクセス出来ない場合でも、ＩＤカード利用者を撮影することができ、ＩＤカード利用者が、後日、撮影のためにカード発行機関を再訪する手間を省くことができる。
【００５４】
このように、本実施形態によるＩＤカード作成システムによれば、ＩＤカード利用者に対する負担を軽減し、ＩＤカードを作成することができる。
【００５５】
上記実施形態では、ＩＤカード作成システムは、ローカルホストコンピュータ１とマスタホストコンピュータ６の２つのホストコンピュータを備えていたが、ホストコンピュータは１つでもよい。この場合、ホストコンピュータがＩＤカード利用者の個人情報及びカード発行可否情報を記憶する。リスト保持部５の接続成功者リスト５ａには、このホストコンピュータにアクセスできた撮影装置３のオペレータのＩＤが記録される。
【００５６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５７】
１  ローカルホストコンピュータ
２  更新登録装置
３  撮影装置
４  ＩＤカード発行装置
５  リスト保持部
５ａ  接続成功者リスト
６  マスタホストコンピュータ
【図１】
2015060427.tif 000003
【図２】
2015060427.tif 000004
【図３】
2015060427.tif 000005
【図４】
2015060427.tif 000006
【図５】
2015060427.tif 000007